(57)【要約】 【課題】金型のパーティングラインに沿ったバリのあるＯリングをレンズ外周面とレンズ枠内壁面との間に配置したときにも所望の防水性能を得ることができるレンズ組立体、そのレンズ組立体を備えた撮像装置を提供する。【解決手段】レンズ外周面１４１に、Ｏリング１５の内周面のバリ１５１が落とし込まれる溝１４１０を設けるとともに、レンズ枠内壁面１００に、Ｏリング１５の外周面のバリ１５０が落とし込まれる溝１０００を設ける。Ｏリング１５にバリがある場合には、それらの溝１４１０，１０００にバリが落とし込まれで、レンズ枠内壁面１４１とレンズ外周面１００との間にバリが位置して隙間を生じさせるということが回避される。【選択図】図３
2009244392.tif 000002
【特許請求の範囲】
【請求項１】
レンズと、該レンズを収容するレンズ枠と、該レンズ外周面と該レンズ枠内壁面との間に配置されるＯリングとを備え、
前記Ｏリングが、該Ｏリングの外周面に、該Ｏリングを一周するバリを有し、
前記レンズ枠が、該レンズ枠内壁面に、前記Ｏリングの外周面のバリを収容するための、該レンズ枠内壁面を一周する溝を有するものであることを特徴とするレンズ組立体。
【請求項２】
レンズと、該レンズを収容するレンズ枠と、該レンズ外周面と該レンズ枠内壁面との間に配置されるＯリングとを備え、
前記Ｏリングが、該Ｏリングの内周面に、該Ｏリングを一周するバリを有し、
前記レンズが、該レンズ外周面に、前記Ｏリングの内周面のバリを収容するための、該レンズの外周面を一周する溝を有するものであることを特徴とするレンズ組立体。
【請求項３】
レンズと、該レンズを収容するレンズ枠と、該レンズ外周面と該レンズ枠内壁面との間に配置されるＯリングとを備え、
前記Ｏリングが、該Ｏリングの外周面と内周面との双方に、該Ｏリングを一周するバリを有し、
前記レンズ枠が、該レンズ枠内壁面に、前記Ｏリングの外周面のバリを収容するための、該レンズ枠内壁面を一周する溝を有するものであり、
前記レンズが、該レンズ外周面に、前記Ｏリングの内周面のバリを収容するための、該レンズの外周面を一周する溝を有するものであることを特徴とするレンズ組立体。
【請求項４】
請求項１から３のいずれか１項に記載のレンズ組立体と、撮像素子とを備えたことを特徴とする撮像装置。
【発明の詳細な説明】
【技術分野】
【０００１】
本発明は、防水機能を有するレンズ組立体、およびそのレンズ組立体を備えた撮像装置に関する。
【背景技術】
【０００２】
最近、自動車にカメラが配備されるようになってきている。このようなカメラの多くは、ナビゲーションシステムが普及し運転席に表示画面が設けられていることを利用して、ドライバの死角になる場所の状態をその表示画面上に表示するものである。
【０００３】
この様な車載用のカメラにあっては、最も対物側に位置するレンズが車体表面に露出して配備されることになるために厳しい防水性能が要求される。このため、その車載用のカメラに搭載されるレンズ組立体にあっては、最も対物側に位置するレンズの外周面とレンズ枠の内周面との間にＯリングが挿入されて水の侵入等が防止されているものが多い（例えば特許文献１参照）。
【０００４】
ところで、防水用のＯリングは、半割の型内に樹脂が注入されて成型され成型された後にその半割の型が割られて型の中のＯリングが取り出されることにより製造されるものが多い。
【０００５】
このため、Ｏリングの外周面と内周面との少なくとも一方には金型のパーティングラインに沿ってＯリングを一周するバリが形成されてしまうことがある。このことにより場合によってはＯリングがレンズ外周面とレンズ枠内壁面との間にうまく配置されたとしてもそのバリによってレンズ外周面とレンズ枠内壁面との間の密閉状態が崩されて隙間が生じ防水性能に悪影響が及ぼされてしまうことがある。
【特許文献１】特開２００２−９０６０３号公報
【発明の開示】
【発明が解決しようとする課題】
【０００６】
本発明は、上記事情に鑑み、金型のパーティングラインに沿ったバリのあるＯリングをレンズ外周面とレンズ枠内壁面との間に配置したときにも所望の防水性能を得ることができるレンズ組立体、およびそのレンズ組立体を備えた撮像装置を提供することを目的とする。
【課題を解決するための手段】
【０００７】
上記目的を達成する本発明の第1のレンズ組立体は、レンズと、そのレンズを収容するレンズ枠と、そのレンズ外周面とそのレンズ枠内壁面との間に配置されるＯリングとを備え、
上記Ｏリングが、そのＯリングの外周面に、そのＯリングを一周するバリを有し、
上記レンズ枠が、そのレンズ枠内壁面に、上記Ｏリングの外周面のバリを収容するための、そのレンズ枠内壁面を一周する溝を有するものであることを特徴とする。
【０００８】
上記本発明の第1のレンズ組立体によれば、上記Ｏリングの外周面にバリがあるときには、上記レンズ枠内壁面の上記溝にそのバリが落とし込まれてレンズ外周面とレンズ枠内壁面との間にＯリングが装着される。このため、バリがレンズ外壁面とレンズ枠内壁面との間に位置して隙間を生じさせるということがなくなって所望の防水性能が得られる。
【０００９】
また、レンズと、そのレンズを収容するレンズ枠と、そのレンズ外周面とそのレンズ枠内壁面との間に配置されるＯリングとを備え、
上記Ｏリングが、そのＯリング内周面に、そのＯリングを一周するバリを有し、
上記レンズが、そのレンズ外周面に、上記Ｏリングの内周面のバリを収容するための、そのレンズの外周面を一周する溝を有するものであることを特徴とする。
【００１０】
上記本発明の第２のレンズ組立体によれば、上記Ｏリングの内周面にバリがあるときには、上記レンズの上記溝にそのバリが落とし込まれてＯリングが装着される。このため、バリがレンズ外壁面とレンズ枠内壁面との間に位置して隙間を生じさせるということがなくなって所望の防水性能が得られる。
【００１１】
また、上記本発明の第3のレンズ組立体は、レンズと、そのレンズを収容するレンズ枠と、そのレンズ外周面とそのレンズ枠内壁面との間に配置されるＯリングとを備え、
上記Ｏリングが、そのＯリングの外周面と内周面との双方に、そのＯリングを一周するバリを有し、
上記レンズ枠が、そのレンズ枠内壁面に、上記Ｏリングの外周面のバリを収容するための、そのレンズ枠内壁面を一周する溝を有するものであり、
上記レンズが、そのレンズ外周面に、上記Ｏリングの内周面のバリを収容するための、そのレンズの外周面を一周する溝を有するものであることを特徴とする。
【００１２】
上記本発明の第３のレンズ組立体によれば、上記Ｏリングの外周面と内周面との双方にバリがあるときには、上記Ｏリングの外周面のバリが上記レンズ枠内壁面の溝に落とし込まれ、上記Ｏリングの内周面のバリが上記レンズの溝に落とし込まれる。このため、バリがレンズ外壁面とレンズ枠内壁面との間に位置して隙間を生じさせるということがなくなって所望の防水性能が得られる。
【００１３】
また、上記目的を達成する本発明の撮像装置は、上記レンズ組立体と、撮像素子とを備えたことを特徴とする。
【００１４】
上記本発明の撮像装置によれば、高い防水性能を持つ撮像装置が得られる。
【発明の効果】
【００１５】
以上、説明したように、金型のパーティングラインに沿ったバリのあるＯリングをレンズ外周面とレンズ枠内壁面との間に配置したときにも所望の防水性能を得ることができるレンズ組立体およびそのレンズ組立体を備えた撮像装置が実現する。
【発明を実施するための最良の形態】
【００１６】
以下、本発明の実施の形態について説明する。
【００１７】
図１は、本発明の一実施形態となるレンズ組立体の構成を示す断面図である。
【００１８】
図１には、４枚のレンズ１１〜１４と、対物側開口と結像側開口とを有し４枚のレンズ１１〜１４が光軸を揃えて挿入される中空部が形成されたレンズ枠１０とを備えたレンズ組立体１が示されている。
【００１９】
この図１には、防塵性能や防水性能を得易くするために、各レンズ１１〜１４どうしの外周縁を接触させてレンズ枠１０内に光軸を揃えて装入するとともに、対物側にいくにしたがってレンズの径が大きくなるようにレンズ１１〜１４を構成した場合の例が示されている。また、レンズ１１〜レンズ１４をレンズ枠１０に収容した後で、レンズ枠の前端を熱カシメによって、折り曲げ、レンズ１４を保持した場合の例が示されている。
【００２０】
この図１のような構成にすると、最も対物側に位置するレンズ１４のレンズ外周面１４１とレンズ枠内周面１００との間にＯリング１５を装着することでより優れた防水性能並びに防塵性能が得られる。このＯリングの材質は、エチレン・プロピレン系ゴム、シリコンゴム等である。
【００２１】
ここで、Ｏリング１５には前述した様に製作上どうしても金型のパーティングラインにバリが形成される。
【００２２】
図２は、そのＯリングのバリ１５０，１５１を示す図であり、図３は、それらのバリのあるＯリングが図１のレンズ枠１０に装着された状態を示す拡大図である。
【００２３】
図２に示す様に、製作上の過程からどうしてもＯリング１５の外周面とＯリング１５の内周面とのうちの少なくとも一方にバリ１５０又は１５１が形成される。図２には、Ｏリング１５の内周面とＯリング１５の外周面との双方にＭＡＸ０．０８ｍｍ以内のバリが形成されることを許容した場合の例が示されている。
【００２４】
本実施形態においては、図２に示すＯリング１５が図１のレンズ枠１０に装着されたときに図２のＯリング１５のバリ１５０，１５１がレンズ外周面とレンズ枠内壁面との間に位置して隙間を生じさせるということがないようにするために、レンズ枠内壁面１００に、図２に示すＯリング１５の外周面のバリ１５０を収容するための、レンズ枠内壁面１００を一周する溝１０００を設けるとともに、レンズの外周面１４１に、Ｏリング１５の内周面のバリ１５１を収容するための、そのレンズ１４の外周面１４１を一周する溝１４１０を設けている。
【００２５】
こうすると、Ｏリング１５の外周面にバリ１５０があるときにはそのバリ１５０がレンズ枠内壁面１００の溝１０００に落とし込まれ、Ｏリング１５の内周面にバリ１５１があるときにはそのバリ１５１がレンズ１４の外周面１４１の溝１４１０に落とし込まれて、バリのないＯリング１５が装着されたのと同じ様にレンズ枠内壁面１００とレンズ外周面１４１との間にバリ１５０，１５１のあるＯリング１５が装着されることになる。つまり、Ｏリングにバリがあったとしてもそれらのバリがレンズ外壁面とレンズ枠内壁面との間に位置して隙間を生じさせるということがなくなって所望の防水性能が得られる。
【００２６】
以上、説明したように、バリのあるＯリングをレンズ外周面とレンズ枠内壁面との間に配置したときにも所望の防水性能を得ることができるレンズ組立体が実現する。
【００２７】
最後にこのレンズ組立体１を自動車に搭載するカメラに適用した場合の例を説明する。
【００２８】
図４は、上記レンズ組立体１を備えたカメラユニット２を示す図である。
【００２９】
図４には、カメラユニット２を光軸に沿って切断し切断した面を斜め上方から見た図が示されている。
【００３０】
図４に示すカメラユニット２は、図１のレンズ組立体１と、カメラ本体枠２０と、撮像素子２１とを備えており、その撮像素子２１は撮像素子基板２１０上に実装されカメラ本体枠２０に接着固定されている。
【００３１】
このカメラユニット２を組み立てるときには、まずカメラ本体枠２０に図１のレンズ組立体１を挿入した後、レンズ組立体１をカメラ本体枠２０に接着固定する。この際、レンズ枠１０の外周縁とカメラ本体枠２０の前端部に接着剤を塗布することによって、前端側からカメラユニット内部に水が入り込まないよう、防水処理を行なう。さらにＣＣＤ固体撮像素子等の撮像素子２１を搭載した基板２１０をカメラ本体枠２０に接着固定する。このような簡単な手順で図１のレンズ組立体１をカメラユニット２に組み込むことが可能となる。こうして組み立てられたカメラユニット２は優れた防水性能を発揮する。
【図面の簡単な説明】
【００３２】
【図１】レンズ組立体１の構成を示す図である。
【図２】図１のレンズ組立体に装着されるＯリングの構成を示す図である。
【図３】Ｏリング１７が装着された状態を示す図である。
【図４】上記レンズ組立体１を備えたカメラユニット２を示す図である。
【符号の説明】
【００３３】
１      レンズ組立体
１０    レンズ枠
１１〜１４    レンズ
１５    Ｏリング
２    カメラユニット
２０    カメラ本体枠
２１    撮像素子
２１０      基板
【図１】
2009244392.tif 000003
【図２】
2009244392.tif 000004
【図３】
2009244392.tif 000005
【図４】
2009244392.tif 000006